(57)【要約】【課題】  警察官などの制服の袖口の周囲に、面ファスナーを利用して袖章の類を交換自在に取り付ける構造において、その取付け交換が容易で、簡単に脱落する恐れも無く、体裁も良好な袖章の類の取付構造を提供する。【解決手段】  袖本体１Ａの袖章の類が設けられる袖口に沿う表面に、一方の面ファスナーテープ３Ａを予め取り付け、この一方の面ファスナーテープ３Ａに着脱自在に設けられる他方の面ファスナーテープ３Ｂの表面に、袖章の類２を予め一体に形成させる。この一方と他方の面ファスナーテープ３Ａ，３Ｂの端部３Ａ',３Ｂ' は、袖本体１Ａの略長手方向に沿う挿入開口４より袖本体１Ａの内部に挿入されて、着脱自在に結合される。【選択図】      図１
2005082899.tif 000002
【特許請求の範囲】
【請求項１】
上着の袖の周囲に袖章の類が設けられた袖章の類の取付構造において、
袖本体の袖章の類が設けられる表面には、一方の面ファスナーテープが取り付けられ、この一方の面ファスナーテープに着脱自在に設けられる他方の面ファスナーテープの表面には前記袖章の類が形成され、該一方と他方の面ファスナーテープの端部は、袖本体の略長手方向に沿うスリット状開口より袖本体の内部に挿入されて、着脱自在に結合されることを特徴とする袖章の類の取付構造。
【請求項２】
前記一方の面ファスナーテープは、プラスチックテープ本体の表面に雄形突起が突出形成された雄形面ファスナーテープにより形成され、前記他方の面ファスナーテープは、表面に前記袖章の類が形成された雌形面ファスナーテープにより形成されたことを特徴とする請求項１に記載の袖章の類の取付構造。
【請求項３】
前記一方と他方の面ファスナーテープの端部は、前記袖本体の略長手方向に沿う縫い目部分に形成されたスリット状開口より袖本体内部の、表地と裏地の間の空間内に挿入されて、着脱自在に結合されることを特徴とする請求項１又は２に記載の袖章の類の取付構造。
【請求項４】
袖の周囲に袖章の類が設けられた上着において、
袖本体の袖章の類が設けられる表面には、一方の面ファスナーテープが取り付けられ、この一方の面ファスナーテープに着脱自在に設けられる他方の面ファスナーテープの表面には前記袖章の類が形成され、該一方と他方の面ファスナーテープの端部は、袖本体の略長手方向に沿うスリット状開口より袖本体の内部に挿入されて、着脱自在に結合されることを特徴とする上着。
【請求項５】
前記一方の面ファスナーテープは、プラスチックテープ本体の表面に雄形突起が突出形成された雄形面ファスナーテープにより形成され、前記他方の面ファスナーテープは、表面に前記袖章の類が形成された雌形面ファスナーテープにより形成されたことを特徴とする請求項４に記載の上着。
【請求項６】
前記一方と他方の面ファスナーテープの両端部は、前記袖本体の略長手方向に沿う上下若しくは前後一対の縫い目部分に形成された一対のスリット状開口より夫々袖本体の内部に挿入されて、着脱自在に結合されることを特徴とする請求項４又は５に記載の上着。
【請求項７】
前記上着は、警察官などの制服であり、前記袖章の類は、警察官などの階級章であることを特徴とする請求項４乃至６のいずれか１項に記載の上着。
【発明の詳細な説明】
【技術分野】
【０００１】
本発明は、主として、警察官或いは自衛官などの制服の袖口の周囲に設けられる袖章の類の取付構造と、該袖章の類が設けられた制服の上着に関するものである。
【背景技術】
【０００２】
従来から、警察官などの制服の袖口の周囲には、階級章として、テープ状に袖章の類が取り付けられている。
【０００３】
ところが、上記従来の袖章の類は、逢着により取り付けられているため、階級が上がると、旧袖章の類を逢着糸をほどいて取り外し、新袖章の類を縫い付けなければならず、その作業が面倒で、手間がかかり、制服の布地を傷めるという問題もある。
【０００４】
このような問題点に鑑み、面ファスナーテープを用い、一方の面ファスナーテープを、予め制服の袖口に縫い付けなどにより取り付けておき、表面に各種袖章の類が形成された複数種類の他方の面ファスナーテープを別途用意し、昇級などにより袖章の類を取り替える必要のある時には、適当な他方の面ファスナーテープを上記一方の面ファスナーテープに選択して取り付けることが考えられる。衣服の胸に、面ファスナーを利用して、各種の名札類を取り付け或いは取り替える発明が、下記特許文献１に記載されている。
【０００５】
このような、面ファスナーを利用して各種の袖章の類を取り替える構造では、その端部に隙間や浮き上がりが生じ易く、悪いばかりでなく、確実な固定ができず、引っ掛かりにより脱落し易いという問題がある。このような問題は、ホックやボタンのような他種の係止具を用いた場合にも同様である。
【特許文献１】実開昭６２−１８６９１１号公報
【発明の開示】
【発明が解決しようとする課題】
【０００６】
本発明は、上記のような事情に基づいてなされたもので、その目的とするところは、警察官などの制服の袖口の周囲の少なくとも表面側に、面ファスナーテープを利用して袖章の類を交換自在に取り付ける構造において、その取付け交換が容易で、簡単に脱落する恐れも無く、体裁も良好な袖章の類の取付構造、及び該取付構造を有する制服などの上着を提供するものである。
【課題を解決するための手段】
【０００７】
このため、本発明では、上着１の袖本体１Ａの袖口周囲に沿って、少なくともその表面側に袖章の類２がテープ状に設けられた袖章の類の取付構造又は制服の上着において、袖本体１Ａの袖章の類が設けられる袖口に沿う表面には、一方の面ファスナーテープ３Ａが予め取り付けられ、この一方の面ファスナーテープ３Ａに着脱自在に設けられる他方の面ファスナーテープ３Ｂの表面には、上記袖章の類２を予め一体に形成させる。この一方と他方の面ファスナーテープ３Ａ，３Ｂの端部３Ａ',３Ｂ' は、袖本体１Ａの略長手方向に沿う挿入開口４より袖本体１Ａの内部に挿入されて、着脱自在に結合されることを特徴としている。
【０００８】
上記一方の面ファスナーテープ３Ａは、可撓性に富むプラスチックテープ本体の表面に雄形突起が一体に突出形成された雄形面ファスナーテープにより形成されることが、袖本体１Ａへの逢着取り付け、或いは、洗濯などの際に傷むことが少ない点において有利である。この場合、上記他方の面ファスナーテープ３Ｂは、裏面にループが形成されたパイル織などの織物製の雌形面ファスナーテープにより形成され、表面には、袖章の類２が織込みやラミネートなどにより予め一体に形成されている。
【０００９】
上記一方と他方の面ファスナーテープ３Ａ，３Ｂは、通常の雌雄の構造を有する織物製やプラスチック製のテープであっても良く、雌雄混合構造のテープを用いても良い。また、袖章の類２を、他方の面ファスナーテープ３Ｂの本体とは別に形成し、ラミネートなどにより一体化することも可能である。
【００１０】
上記一方と他方の面ファスナーテープ３Ａ，３Ｂの両端部３Ａ',３Ｂ' は、袖本体１Ａの上下若しくは前後の略長手方向に沿う２条の縫い目部分５に形成されたスリット状の２条の挿入開口４より袖本体１Ａ内部に夫々挿入されて、着脱自在に結合される。上記両端部３Ａ',３Ｂ' は、袖本体１Ａ内部の、表地６と裏地７の間の空間内に挿入されて、着脱自在に結合される。この縫い目部分５は、前身頃の合わせ縁に沿っており、挿入開口４は、この縫い目部分５の中間部の縫い糸の途切れ部分に形成されている。
このような構成により、端部３Ａ',３Ｂ' 同志の結合は、上記表地６と裏地７の間の空間内でめくらの状態で手さぐりで行なうことになるが、端部が人体やシャツに直接触れることがなく、結合状態が安定し、着心地に点でも違和感がない。
【００１１】
上記両端部３Ａ',３Ｂ' は、裏地７のさらに内方に突出させるようにしても良く、袖本体１Ａの生地が一重の場合には、当然に、両端部３Ａ',３Ｂ' は、生地の内方に突出する。このような構造では、両端部の着脱作業が容易である。
【００１２】
また、上記挿入開口４は、袖本体１Ａの下部などの一カ所に形成させるようにしても良い。
【００１３】
上記挿入開口４が、前身頃に縁に沿って二カ所略平行に形成される場合には、他方の面ファスナーテープ３Ｂ及びその表面の袖章の類２は、袖本体１Ａの表面側に沿って略半円状に設けられる。また、挿入開口４が、袖本体１Ａの一カ所に形成される場合には、他方の面ファスナーテープ３Ｂ及びその表面の袖章の類２は、袖本体１Ａの全周に沿って略環状に設けられる。
【００１４】
上記上着１は、例えば、警察官や自衛官、消防士などの制服であり、上記袖章の類２は、例えば、上記警察官などの階級章である。
上着１は、階級とは関係がない通常人の衣服であっても良く、また、袖章の類２は、子供服などの袖口に沿った飾り紐又はテープであっても良い。
【００１５】
上記袖章の類の取付構造及び該構造を有する制服の上着によれば、上着１の袖口には、予め一方の面ファスナーテープ３Ａが逢着などにより予め取り付け固定されており、その端部３Ａ’は、挿入開口４より袖本体１Ａの内部に挿入されている。袖章の類２を取り付け若しくは取り替える時には、袖章の類２を表面に有する他方の面ファスナーテープ３Ｂを上記一方の面ファスナーテープ３Ａに面結合させ、その端部３Ｂ’を挿入開口４より袖本体１Ａの内部に挿入させて、袖本体１Ａの内部において、一方及び他方の端部３Ａ’，３Ｂ’同志を結合させるようにする。昇級などにより袖章の類２を取り替える必要がある時、或いは、洗濯時などに袖章の類２と共に他方の面ファスナーテープ３Ｂを取り外す時には、袖本体１Ａの内部において、上記一方の端部３Ａ’から他方の端部３Ｂ’を引き剥がして、挿入開口４より抜き出した後、袖章の類２と一体の他方の面ファスナーテープ３Ｂを取り外すようにすれば良い。両端部３Ａ’，３Ｂ’同志の結合又は引き剥がし作業は、挿入開口４内で行なうことが出来るが、挿入開口４から両端部を引き出してから行なうこともできる。
【発明の効果】
【００１６】
本発明によれば、面ファスナーを利用し、袖章の類を、制服などの上着の袖口から、簡単に取り外し、又は、取り替えることができ、従来のように、昇級や洗濯時に、一々逢着糸をほどいて縫い直すことにより、取り替え或いは取り外す必要がなく、その作業が容易でスムーズである。また、上着の生地を傷める恐れも少ない。
【００１７】
しかも、他方の面ファスナーテープと一体の袖章の類の端部が、上着の袖本体の内部に挿入されて一方の面ファスナーテープの端部と着脱自在に結合されているため、引っ掛かって外れるという恐れがなく、安全である。また、端部の縁部の係合が浮き上がっても、外部からは見えず体裁が良い。
【００１８】
さらに、上記、両テープの両端部が挿入されるスリット状挿入開口を、袖本体の略長手方向に沿う前身頃の縫い目部分の逢着糸間に形成させることにより、上着の生地に孔を明けたりして、傷めることがなく、開口の外観も自然で違和感が生じない。
【発明を実施するための最良の形態】
【００１９】
以下、本発明を実施するための最良の形態を、図面を参照しながら、具体的に説明する。
【００２０】
図１に示すように、警察官などの制服の上着１の両袖の袖本体１Ａの袖口に沿った周囲の少なくとも表面側には、テープ状に袖章の類２が設けられている。袖章の類２は、面ファスナー３により着脱自在に設けられている。袖本体１Ａの袖章の類２が設けられる袖口の表面には、一方の面ファスナーテープ３Ａが予め取り付けられ、この一方の面ファスナーテープ３Ａに着脱自在に設けられる他方の面ファスナーテープ３Ｂの表面には、上記袖章の類２が織製あるいはラミネートにより予め一体に形成されている。複数種類の階級章としての複数種類の袖章の類２が形成された複数種類の他方の面ファスナーテープ３Ｂが、別途用意されている。この複数種類の他方の面ファスナーテープ３Ｂは、警察官などの階級に対応した複数種類の階級章に対応している。
【００２１】
上記一方の面ファスナーテープ３Ａは、図６に示すように、可撓性に富むプラスチックテープ本体の表面に雄形突起が一体に突出形成された雄形面ファスナーテープにより形成されることが、袖本体１Ａへの逢着取り付け、或いは、洗濯などの際に傷むことが少ない点において有利である。この場合、上記他方の面ファスナーテープ３Ｂは、裏面にループが形成されたパイル織などの織物製の雌形面ファスナーテープにより形成される。
【００２２】
上記一方と他方の面ファスナーテープ３Ａ，３Ｂの両端部３Ａ',３Ｂ' は、袖本体１Ａの略長手方向に沿う前後若しくは上下の縫い目部分５、５に形成された前後若しくは上下のスリット状挿入開口４、４より、袖本体１Ａの内部に夫々挿入されて、着脱自在に結合される。この挿入開口４は、上記縫い目部分５の逢着糸の切れ目の間であって、前身頃の合わせ縁に形成されている。
【００２３】
この両端部３Ａ',３Ｂ' の袖本体１Ａ内の挿入部分は、袖本体１Ａ内部の、表地６と裏地７の間の空間内となる。このようにして、他方の面ファスナーテープ３Ｂの表面の袖章の類２が、袖本体１Ａの表側部分に沿って、略半円状に設けられている。上記両端部のうち、一方の端部３Ａ’は、袖本体１Ａの内部において固定させず突出しているが、逢着などにより、固定されていても良い。
【００２４】
上記制服の上着１において、昇級などにより袖章の類２を取り替える必要がある時（或いは、洗濯時などに袖章の類２と共に他方の面ファスナーテープ３Ｂを取り外す時）には、袖本体１Ａの内部又は外部に引き出した状態において、上記一方の端部３Ａ’から他方の端部３Ｂ’を引き剥がし、挿入開口４より抜き出すようにして、袖章の類２と一体の他方の面ファスナーテープ３Ｂを取り外すようにする。その後、階級の違う他の袖章の類２を表面に有する他方の面ファスナーテープ３Ｂを、上記一方の面ファスナーテープ３Ａに面結合させ、その端部３Ｂ’を挿入開口４より袖本体１Ａの内部に挿入させ、あるいは外部に引き出して、一方及び他方の端部３Ａ’，３Ｂ’同志を結合させるようにすれば良い。
【００２５】
上記の実施の形態では、図２に示すように、袖章の類２を袖本体１Ａの表側部分に沿って、略半円状に設けている。これに対し、図７の他の実施の形態では、一方と他方の面ファスナーテープの両端部３Ａ',３Ｂ' を、袖本体１Ａの一カ所のスリット状挿入開口４から袖本体１Ａ内に挿入させるようにしている。このようにして、袖章の類２を袖本体１Ａの略全周に沿って、略環状に形成させることも可能である。
【産業上の利用可能性】
【００２６】
本発明に係る上着１は、例えば、警察官や自衛官、消防士などの階級の定められた職業人の制服に種として利用される。その場合、上記袖章の類２は、例えば、上記警察官などの階級章である。本発明に係る上着１は、階級とは関係がない職業人の制服、又は私服にも利用でき、その場合の袖章の類２は、袖口に沿った飾り紐又はテープの類などの、主として、デザイン用又は装飾用、あるいは、職業などに特有の模様などを表示するものであっても良い。上着は、子供服であっても良い。
【図面の簡単な説明】
【００２７】
【図１】本発明に係る上着の正面図である。
【図２】同IIーII線における拡大断面図である。
【図３】同要部の拡大断面図である。
【図４】同上着の袖本体の斜視図である。
【図５】同面ファスナーを開いた状態の上着の袖本体の斜視図である。
【図６】同面ファスナーの分離断面図である。
【図７】同他の実施の態様に係る袖本体の拡大断面図である。
【符号の説明】
【００２８】
１  上着、１Ａ  袖本体
２  袖章の類
３  面ファスナー、３Ａ  一方の面ファスナーテープ（雄形面ファスナーテープ）、    ３Ｂ  他方の面ファスナーテープ（雌形面ファスナーテープ）、３Ａ’、３Ｂ’
端部
４  挿入開口
５  縫い目部分
６  表地
７  裏地
【図１】
2005082899.tif 000003
【図２】
2005082899.tif 000004
【図３】
2005082899.tif 000005
【図４】
2005082899.tif 000006
【図５】
2005082899.tif 000007
【図６】
2005082899.tif 000008
【図７】
2005082899.tif 000009